【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
被写体を間欠的に連続して複数回撮像し、複数枚の画像データを得る撮像部と、
前記撮像部によって得られた画像データを記憶する記憶部と、
前記複数回の撮像のそれぞれの撮像の前後において前記画像データの各画素が変化する変化量をフレーム単位で検出する変化量検出部と、
前記記憶部に先に記憶された画像データに係る前記変化量に対し、後の画像データに係る前記変化量のほうが小さい場合に、前記記憶部に先に記憶されている画像データを前記後の画像データに更新する画像データ更新部と、
を具備することを特徴とする撮像装置。
【請求項２】
前記画像データ更新部は、前記先の画像データと前記後の画像データとを前記記憶部に記憶させておき、前記記憶部に先に記憶された画像データに係る前記変化量に対し、前記後の画像データに係る前記変化量のほうが大きい場合に、前記後の画像データを前記記憶部から削除することを更に行うことを特徴とする請求項１に記載の撮像装置。
【請求項３】
被写体を間欠的に連続して複数回撮像し、複数枚の画像データを得る撮像部と、
前記撮像部によって得られた画像データを記憶する記憶部と、
前記複数回の撮像のそれぞれの撮像の前後において前記画像データの各画素が変化する変化量をフレーム単位で検出する変化量検出部と、
前記記憶部に記憶された画像データを、前記複数回の撮像のそれぞれの撮像の画像データのうち前記変化量が小さい画像データに更新する画像データ更新部と、
を具備することを特徴とする撮像装置。
【請求項４】
被写体を間欠的に連続して複数回撮像し、複数枚の画像データを得る撮像部と、
前記複数回の撮像のそれぞれの撮像の前後において前記画像データの各画素が変化する変化量をフレーム単位で検出する変化量検出部と、
前記複数回の撮像のそれぞれの撮像の画像データのうち、前記変化量が小さい画像データを記憶する画像データ記憶部と、
を具備することを特徴とする撮像装置。
【請求項５】
前記撮像部は、前記複数回の撮像のそれぞれの撮像前に被写体を撮像して撮像前の画像データを得るとともに、前記複数回の撮像のそれぞれの撮像後に被写体を撮像して撮像後の画像データを得ることを更に行い、
前記変化量検出部は、
前記撮像前の画像データを記憶する補助記憶部と、
前記補助記憶部に記憶されている前記撮像前の画像データと前記撮像後の画像データとのレベル差を対応する画素毎に演算する演算部と、
前記演算部によって演算された前記レベル差が所定の閾値よりも大きい画素の数を計数することで前記変化量を検出する計数部と、
を有することを特徴とする請求項１、３、４のいずれか１つに記載の撮像装置。
【請求項６】
前記演算部は、前記撮像部によって前記撮像前と前記撮像後に得られた画像データの画素を間引いた画像データに基づいて前記レベル差を演算することを特徴とする請求項５に記載の撮像装置。
【請求項７】
前記演算部は、前記撮像部によって前記撮像前と前記撮像後に得られた画像データの中央近傍の画素の画像データに基づいて前記レベル差を演算することを特徴とする請求項５に記載の撮像装置。
【請求項８】
前記演算部は、前記撮像部によって前記撮像前と前記撮像後に得られた画像データの一部の画素の画像データに基づいて前記レベル差を演算することを特徴とする請求項５に記載の撮像装置。
【請求項９】
前記一部の画素は、前記撮像前と前記撮像後に得られた画像データの各々同一箇所の画素であることを特徴とする請求項８に記載の撮像装置。
【請求項１０】
前記被写体を撮像して画像データを得る、前記撮像部とは異なる補助撮像部を更に具備し、
前記変化量検出部は、前記補助撮像部で得られた画像データに基づいて前記変化量を検出することを特徴とする請求項１に記載の撮像装置。
【請求項１１】
前記補助撮像部は、前記撮像部の画素数よりも少ない画素数の素子から構成されることを特徴とする請求項１０に記載の撮像装置。
【請求項１２】
前記撮像部の画素数よりも少ない画素数の素子は、ラインセンサであることを特徴とする請求項１１に記載の撮像装置。
【請求項１３】
被写体を間欠的に連続して複数回撮像して複数枚の画像データを取得し、
前記撮像によって得られた画像データを記憶部に記憶させ、
前記複数回の撮像のそれぞれの撮像の前後において前記画像データの各画素が変化する変化量をフレーム単位で検出し、
前記記憶部に先に記憶された画像データに係る前記変化量に対し、後の画像データに係る前記変化量のほうが小さい場合に、前記記憶部に先に記憶されている画像データを前記後の画像データに更新する、
ことを特徴とする撮像方法。
【請求項１４】
コンピュータに、
撮像部によって被写体を間欠的に連続して複数回撮像し、複数枚の画像データを取得する処理と、
前記取得された画像データを記憶部に記憶させる処理と、
前記複数回の撮像のそれぞれの撮像の前後において前記画像データの各画素が変化する変化量をフレーム単位で検出する処理と、
前記記憶部に先に記憶された画像データに係る前記変化量に対し、後の画像データに係る前記変化量のほうが小さい場合に、前記記憶部に先に記憶されている画像データを前記後の画像データに更新する処理と、
を実行させるための撮像プログラム。
【請求項１５】
コンピュータに、
被写体を間欠的に連続して複数回撮像し、複数枚の画像データを取得する処理と、
前記撮像部によって得られた画像データを記憶部に記憶させる処理と、
前記複数回の撮像のそれぞれの撮像の前後において前記画像データの各画素が変化する変化量をフレーム単位で検出する処理と、
前記記憶部に記憶された画像データを、前記複数回の撮像のそれぞれの撮像の画像データのうち前記変化量が小さい画像データに更新する処理と、
を実行させるための撮像プログラム。
【請求項１６】
コンピュータに、
被写体を間欠的に連続して複数回撮像し、複数枚の画像データを取得する処理と、
前記複数回の撮像のそれぞれの撮像の前後において前記画像データの各画素が変化する変化量をフレーム単位で検出する処理と、
前記複数回の撮像のそれぞれの撮像の画像データのうち、前記変化量が小さい画像データを画像データ記憶部に記憶させる処理と、
を実行させるための撮像プログラム。
【手続補正２】
【補正対象書類名】明細書
【補正対象項目名】０００５
【補正方法】変更
【補正の内容】
【０００５】
上記の目的を達成するために、本発明の第１の態様の撮像装置は、被写体を間欠的に連続して複数回撮像し、複数枚の画像データを得る撮像部と、前記撮像部によって得られた画像データを記憶する記憶部と、前記複数回の撮像のそれぞれの撮像の前後において前記画像データの各画素が変化する変化量をフレーム単位で検出する変化量検出部と、前記記憶部に先に記憶された画像データに係る前記変化量に対し、後の画像データに係る前記変化量のほうが小さい場合に、前記記憶部に先に記憶されている画像データを前記後の画像データに更新する画像データ更新部とを具備することを特徴とする。
また、上記の目的を達成するために、本発明の第２の態様の撮像装置は、被写体を間欠的に連続して複数回撮像し、複数枚の画像データを得る撮像部と、前記撮像部によって得られた画像データを記憶する記憶部と、前記複数回の撮像のそれぞれの撮像の前後において前記画像データの各画素が変化する変化量をフレーム単位で検出する変化量検出部と、前記記憶部に記憶された画像データを、前記複数回の撮像のそれぞれの撮像の画像データのうち前記変化量が小さい画像データに更新する画像データ更新部とを具備することを特徴とする。
また、上記の目的を達成するために、本発明の第３の態様の撮像装置は、被写体を間欠的に連続して複数回撮像し、複数枚の画像データを得る撮像部と、前記複数回の撮像のそれぞれの撮像の前後において前記画像データの各画素が変化する変化量をフレーム単位で検出する変化量検出部と、前記複数回の撮像のそれぞれの撮像の画像データのうち、前記変化量が小さい画像データを記憶する画像データ記憶部とを具備することを特徴とする。
【手続補正３】
【補正対象書類名】明細書
【補正対象項目名】０００６
【補正方法】変更
【補正の内容】
【０００６】
また、上記の目的を達成するために、本発明の第４の態様の撮像方法は、被写体を間欠的に連続して複数回撮像して複数枚の画像データを取得し、前記撮像によって得られた画像データを記憶部に記憶させ、前記複数回の撮像のそれぞれの撮像の前後において前記画像データの各画素が変化する変化量をフレーム単位で検出し、前記記憶部に先に記憶された画像データに係る前記変化量に対し、後の画像データに係る前記変化量のほうが小さい場合に、前記記憶部に先に記憶されている画像データを前記後の画像データに更新することを特徴とする。
【手続補正４】
【補正対象書類名】明細書
【補正対象項目名】０００７
【補正方法】変更
【補正の内容】
【０００７】
また、上記の目的を達成するために、本発明の第５の態様の撮像プログラムは、コンピュータに、撮像部によって被写体を間欠的に連続して複数回撮像し、複数枚の画像データを取得する処理と、前記取得された画像データを記憶部に記憶させる処理と、前記複数回の撮像のそれぞれの撮像の前後において前記画像データの各画素が変化する変化量をフレーム単位で検出する処理と、前記記憶部に先に記憶された画像データに係る前記変化量に対し、後の画像データに係る前記変化量のほうが小さい場合に、前記記憶部に先に記憶されている画像データを前記後の画像データに更新する処理とを実行させる。
また、上記の目的を達成するために、本発明の第６の態様の撮像プログラムは、コンピュータに、被写体を間欠的に連続して複数回撮像し、複数枚の画像データを取得する処理と、前記撮像部によって得られた画像データを記憶部に記憶させる処理と、前記複数回の撮像のそれぞれの撮像の前後において前記画像データの各画素が変化する変化量をフレーム単位で検出する処理と、前記記憶部に記憶された画像データを、前記複数回の撮像のそれぞれの撮像の画像データのうち前記変化量が小さい画像データに更新する処理とを実行させる。
また、上記の目的を達成するために、本発明の第７の態様の撮像プログラムは、コンピュータに、被写体を間欠的に連続して複数回撮像し、複数枚の画像データを取得する処理と、前記複数回の撮像のそれぞれの撮像の前後において前記画像データの各画素が変化する変化量をフレーム単位で検出する処理と、前記複数回の撮像のそれぞれの撮像の画像データのうち、前記変化量が小さい画像データを画像データ記憶部に記憶させる処理とを実行させる。
【手続補正５】
【補正対象書類名】明細書
【補正対象項目名】０００８
【補正方法】変更
【補正の内容】
【０００８】
これら第１〜第７の態様によれば、被写体を連続して撮像する時間内において、それぞれの撮像の前後で画像データの各画素が変化する量をフレーム単位で検出し、この変化量が最も小さい画像が選別される。これにより、変化量の大きい画像を何枚も記憶することがなく、記憶メディアの容量の浪費を抑えることができる。